(57)【要約】【課題】  アドレス期間から維持期間に移行するときのＥＭＩやノイズを減少させるプラズマディスプレイパネルの駆動方法及び駆動装置を提供する。【解決手段】  本発明によるプラズマディスプレイパネルの駆動装置は，アドレス期間から維持期間に移行するとき，全てのスキャンＩＣの低電圧駆動スイッチをオン状態とせずにスキャンＩＣの出力をフローティング状態として電力回収回路を通じてドレーンとソースの電圧を同一にする。その後，スイッチを同時にオン状態とする。これによって，スキャンＩＣのスイッチをオン状態とするとき，スイッチに電流が流れなくなる。【選択図】  図４
2005157309.tif 000002
【特許請求の範囲】
【請求項１】
複数の第１電極及び複数の第２電極を含むプラズマディスプレイパネルの駆動方法であって：
ａ）前記複数の第１電極を順次に選択し，前記選択された第１電極には第１電圧を印加し，選択されなかった他の第１電極には第２電圧を印加する段階と；
ｂ）前記ａ）段階後に，前記複数の第１電極に前記第２電圧が印加された状態で前記第１電極を電気的フローティング状態とする段階と；
ｃ）前記ｂ）段階後に，前記複数の第１電極の電圧を維持放電のための第３電圧に変更する段階と；
を含むことを特徴とする，プラズマディスプレイパネルの駆動方法。
【請求項２】
前記ｃ）段階において，
前記第２電極の電圧を，前記第１電極が選択される間に前記第２電極に印加される第４電圧に維持することを特徴とする，請求項１に記載のプラズマディスプレイパネルの駆動方法。
【請求項３】
前記ｃ）段階以降に，
前記第２電極の電圧を，前記第４電圧から，前記第１電極に印加される前記第３電圧との差によって維持放電を起こすことができる第５電圧に変更することを特徴とする，請求項２に記載のプラズマディスプレイパネルの駆動方法。
【請求項４】
前記ｂ）段階と前記ｃ）段階の間において，
前記第２電極の電圧を第４電圧から第５電圧に変更し，
前記第１電極の電圧を前記第２電圧から前記第５電圧に変更することを特徴とする，請求項１に記載のプラズマディスプレイパネルの駆動方法。
【請求項５】
前記第４電圧は，前記第１電極が選択される間に前記第２電極に印加される電圧であり，
前記第５電圧は，前記第１電極に印加される前記第３電圧との差によって維持放電を起こすことができる電圧であることを特徴とする，請求項４に記載のプラズマディスプレイパネルの駆動方法。
【請求項６】
複数の第１電極，複数の第２電極，及び複数の第１電極に各々接続される第１トランジスタと第２トランジスタを有する複数の選択回路を含むプラズマディスプレイパネルの駆動方法であって：
ａ）前記複数の第１電極を順次に選択し，前記選択された第１電極に対して，導通した前記第２トランジスタのボディーダイオードを通じて第１電圧を印加し，選択されなかった他の第１電極に対して，導通した前記第１トランジスタのボディーダイオードを通じて第２電圧を印加する段階と；
ｂ）前記複数の選択回路の第１トランジスタ及び第２トランジスタが遮断する段階と；
ｃ）前記第１電極に対して，導通した前記第２トランジスタのボディーダイオードを通じて維持放電のための第３電圧を印加する段階と；
ｄ）前記複数の選択回路の第２トランジスタが導通する段階と；
を含むことを特徴とするプラズマディスプレイパネルの駆動方法。
【請求項７】
前記ｂ）段階において，
前記第２電極の電圧を，前記第１電極が選択される間に前記第２電極に印加される第４電圧に維持することを特徴とする，請求項６に記載のプラズマディスプレイパネルの駆動方法。
【請求項８】
前記ｂ）段階以降に，
前記第２電極の電圧を，前記第４電圧から，前記第１電極に印加される前記第３電圧との差によって維持放電を起こすことができる第５電圧に変更することを特徴とする，請求項７に記載のプラズマディスプレイパネルの駆動方法。
【請求項９】
前記ｃ）段階と前記ｄ）段階の間において，
前記第２電極の電圧を第４電圧から第５電圧に変更し，
前記第１電極の電圧を前記第２電圧から前記第５電圧に変更することを特徴とする，請求項７に記載のプラズマディスプレイパネルの駆動方法。
【請求項１０】
前記ｄ）段階において，
前記第１電極の電圧が前記第３電圧に維持された状態で前記第２トランジスタが導通することを特徴とする，請求項６〜９のいずれかに記載のプラズマディスプレイパネルの駆動方法。
【請求項１１】
前記ｄ）段階において，
前記第２トランジスタが導通するとき，前記第２トランジスタのソース電圧とドレーン電圧が実質的に同一であることを特徴とする，請求項６〜９のいずれかに記載のプラズマディスプレイパネルの駆動方法。
【請求項１２】
複数の第１電極と複数の第２電極によって形成される複数のパネルキャパシタに電圧を印加するプラズマディスプレイパネルの駆動装置において：
前記第１電極に維持放電のための電圧を印加する第１維持駆動部と；
各々第１端が前記第１電極に接続される第１トランジスタと第２端が前記第１電極に接続される第２トランジスタを含み，アドレス期間に前記複数の第１電極に順次走査電圧を印加する複数の選択回路と；
前記第２トランジスタを通じて前記第１電極に前記走査電圧を供給する第１電源と；
前記第１トランジスタを通じて，前記アドレス期間において前記走査電圧が印加された第１電極以外の第１電極に第１電圧を印加する第２電源と；
を含み，
前記複数の第１電極に順次走査電圧を印加した後，前記複数の第１電極に前記第１電圧を印加した状態で前記第１トランジスタ及び第２トランジスタを遮断させ，前記第１維持駆動部と前記第２トランジスタのボディーダイオードを通じて前記第１電極に維持放電のための電圧を印加し，前記第２トランジスタを導通させることを特徴とする，プラズマディスプレイパネルの駆動装置。
【請求項１３】
前記第１維持駆動部は，
前記第２トランジスタの第２端に第１端が電気的に接続された第１インダクタと；
前記第１インダクタの第２端と第２電圧を供給する第３電源との間に電気的に接続される第３トランジスタと；
前記第１電極と前記第３電圧を供給する第４電源との間に電気的に接続される第４トランジスタと；
を含み，
前記第１トランジスタ及び第２トランジスタが遮断した状態で前記第３トランジスタが導通して前記第１電極が充電された後，前記第４トランジスタが導通して前記第１電極に前記第３電圧が印加されることを特徴とする，請求項１２に記載のプラズマディスプレイパネルの駆動装置。
【請求項１４】
前記第１電極の電圧を前記第３電圧まで充電する間，前記第２電極の電圧は，前記アドレス期間に前記第２電極に印加される第４電圧に維持されることを特徴とする，請求項１２に記載のプラズマディスプレイパネルの駆動装置。
【請求項１５】
前記第２電極に維持放電のための電圧を印加する第２維持駆動部を更に含み，
前記第２維持駆動部は，
第２電極に第１端が電気的に接続された第２インダクタと；
前記第２インダクタの第２端と第５電圧を供給する第５電源との間に電気的に接続された第５トランジスタと；
前記第２電極と第６電圧を供給する第６電源との間に電気的に接続される第６トランジスタと；
を含み，
前記第１トランジスタ及び第２トランジスタが遮断した状態で，前記第５トランジスタが導通して前記第２電極が放電された後，前記第６トランジスタが導通して前記第２電極に前記第６電圧が印加された状態で前記第３トランジスタが導通して前記第１電極に前記第３電圧が印加されることを特徴とする，請求項１２に記載のプラズマディスプレイパネルの駆動装置。
【請求項１６】
前記第１インダクタの第２端と前記第３電源との間に接続されて前記パネルキャパシタが充電されるように電流の方向を決定する第１ダイオードと；
前記第２インダクタの第２端と前記第５電源との間に接続されて前記パネルキャパシタが放電されるように電流の方向を決定する第２ダイオードと；
を更に含むことを特徴とする，請求項１２〜１５のいずれかに記載のプラズマディスプレイパネルの駆動装置。
【発明の詳細な説明】
【技術分野】
【０００１】
本発明は，プラズマディスプレイパネル（以下，「ＰＤＰ」という）の駆動方法及び駆動装置に関する。
【背景技術】
【０００２】
最近，平面ディスプレイ装置の中でＰＤＰは他のディスプレイ装置に比べて輝度及び発光効率が高くて視野角が広いという長所によって脚光を浴びている。
【０００３】
プラズマディスプレイパネルは気体放電によって生成されたプラズマを用いて文字または映像を表示する平面表示装置であって，その大きさによって数十から数百万個以上の画素がマトリックス形態に配列されている。まず，図１及び図２を参照しながらプラズマディスプレイパネルの構造について説明する。
【０００４】
図１はプラズマディスプレイパネルの部分斜視図であり，図２はプラズマディスプレイパネルの電極配列図を示す。
【０００５】
図１に示したように，プラズマディスプレイパネルは互いに対向して離れている二つのガラス基板１，６を含む。ガラス基板１の面上には走査電極４と維持電極５が対になって平行に形成されており，走査電極４と維持電極５は誘電体層２及び保護膜３で覆われている。ガラス基板６の面上には複数のアドレス電極８が形成されており，アドレス電極８は絶縁体層７により覆われている。隣接するアドレス電極８の中間にある絶縁体層７上にはアドレス電極８に平行な隔壁９が形成されている。また，絶縁体層７の表面及び隔壁９の両側面には蛍光体１０が形成されている。ガラス基板１，６は走査・維持電極対とアドレス電極８が直交するように放電空間１１を隔てて対向して配置されている。アドレス電極８と，走査・維持電極対との交差部にある放電空間１１が放電セル１２を形成する。
【０００６】
そして図２に示したように，プラズマディスプレイパネルの電極は，ｎ×ｍのマトリックス構造を有している。複数のアドレス電極Ａ１−Ａｍが縦方向に延びて横方向に順次配列されていて，この外に，横方向に延びる複数の走査電極Ｙ１−Ｙｎ及び維持電極Ｘ１−Ｘｎが対になって縦方向に順次配列されている。
【０００７】
一般にプラズマディスプレイパネルは，１フレーム期間を複数のサブフィールド期間に分けて駆動される。サブフィールド期間では互いに異なる回数の維持放電を生じさせ，その組み合わせによって任意の階調が表現される。一般に各サブフィールドはリセット期間，アドレス期間，維持期間に分けられる。
【０００８】
リセット期間は，以前の維持放電によって生じた壁電荷を消去して次のアドレス放電を安定的に遂行するために壁電荷をセットアップする（所定の状態に積み上げる）期間である。アドレス期間は，ｎ×ｍのマトリックス状に画素（セル）を配列したパネルにおいて，点灯させるセルと点灯させないセルを選別して点灯させるセル（アドレシングされたセル）に壁電荷を積む動作を行う期間である。維持期間は，アドレシングされたセルにより，実際に画像を発光表示するための放電（維持放電という）を遂行する期間である。
【０００９】
壁電荷とは，各電極に近い放電セルの壁（例えば，誘電体層）に形成されて電極に蓄積される電荷を言う。このような壁電荷は，実際に電極自体に接触することがないが，ここでは壁電荷が電極に「形成される」，「蓄積される」，または「積まれる」のように説明される。また，壁電圧は壁電荷によって放電セルの壁に形成される電位差を言う。
【００１０】
図３はこのような従来の技術によるＸ，Ｙ電極の電圧波形を示した図である。
【００１１】
図３に示すように，従来はアドレス期間の最後にＹ電極の電圧を０Ｖに落とした後，維持期間へ移行していた。
【発明の開示】
【発明が解決しようとする課題】
【００１２】
しかしながら，従来，全てのＹ電極の電圧を同時に０Ｖに落とすために，スキャンドライバＩＣの低電圧部に備えられている全てのスイッチを同時にオンさせていたため，スキャンドライバＩＣに瞬間的に非常に大きい電流が流れてしまっていた。これによって，ノイズやＥＭＩ（Ｅｌｅｃｔｒｏ  Ｍａｇｎｅｔ  Ｉｎｔｅｒｆｅｒｅｎｃｅ）が発生し，回路動作が不安定化する可能性があった。
【００１３】
そこで，本発明は，このような問題に鑑みてなされたもので，その目的は，アドレス期間から維持期間に移行するときに，電流の経路を変更させてＥＭＩやノイズを減少させるプラズマディスプレイパネルの駆動方法及び駆動装置を提供することにある。
【課題を解決するための手段】
【００１４】
上記課題を解決するために，本発明の第１の観点によれば，複数の第１電極及び複数の第２電極を含むプラズマディスプレイパネルの駆動方法が提供される。そして，この駆動方法は，複数の第１電極を順次に選択し，選択された第１電極には第１電圧を印加し，他の第１電極には第２電圧を印加するａ）段階と；ａ）段階後に，複数の第１電極に第２電圧が印加された状態で全ての第１電極を電気的フローティング状態とするｂ）段階と；ｂ）段階後に，複数の全ての第１電極の電圧を維持放電のための第３電圧に変更するｃ）段階とを含むことを特徴としている。
【００１５】
ｃ）段階において，第２電極の電圧を，第１電極が選択される間に第２電極に印加される第４電圧に維持することが好ましい。
【００１６】
また，ｃ）段階以降に，第２電極の電圧を，第４電圧から，第１電極に印加される第３電圧との差によって維持放電を起こすことができる第５電圧（例えば，０Ｖ）に変更することが好ましい。
【００１７】
さらに，ｂ）段階とｃ）段階の間において，第２電極の電圧を第４電圧から第５電圧に変更し，第１電極の電圧を第２電圧から第５電圧に変更するようにしてもよい。全ての第１電極が順次選択された後に，全ての第１電極に第２電圧が印加され，さらにその後全ての第１電極に第５電圧が印加される。
【００１８】
ここで，第４電圧は，第１電極が選択される間に第２電極に印加される電圧であり，第５電圧は，第１電極に印加される第３電圧との差によって維持放電を起こすことができる電圧であることが好ましい。
【００１９】
上記課題を解決するために，本発明の第２の観点によれば，複数の第１電極，複数の第２電極，及び複数の第１電極に各々接続される複数の選択回路を含むプラズマディスプレイパネルの駆動方法が提供される。この選択回路は，ソースまたはドレーンが第１電極に接続される第１トランジスタとドレーンまたはソースが第１電極に接続される第２トランジスタを含んでいる。そして，本発明に係る駆動方法は，複数の第１電極を順次に選択し，選択された第１電極に対して，第２トランジスタのボディーダイオードを通じて第１電圧を印加し，選択されなかった他の第１電極に対して，第１トランジスタのボディーダイオードを通じて第２電圧を印加するａ）段階と；複数の選択回路の第１トランジスタ及び第２トランジスタが遮断（オフ）するｂ）段階と；全ての第１電極に対して，第２トランジスタのボディーダイオードを通じて維持放電のための第３電圧を印加するｃ）段階と；複数の選択回路の第２トランジスタが導通（オン）するｄ）段階と；を含んでいる。ここで，第１電圧は第２トランジスタが導通して第１電極に印加され，第２電圧は第１トランジスタが導通して第１電極に印加される。
【００２０】
また，ｂ）段階において，第２電極の電圧を，第１電極が選択される間に第２電極に印加される第４電圧に維持することが好ましい。
【００２１】
ｄ）段階において，第１電極の電圧が第３電圧に維持された状態で第２トランジスタが導通することが好ましく，また，ｄ）段階において，第２トランジスタが導通するとき，第２トランジスタのソース電圧とドレーン電圧が実質的に同一であることが好ましい。
【００２２】
上記課題を解決するために，本発明の第３の観点によれば，複数の第１電極と複数の第２電極，第１電極と第２電極によって形成されるパネルキャパシタに電圧を印加するプラズマディスプレイパネルの駆動装置が提供される。そして，この駆動装置は，第１電極に維持放電のための電圧を印加する第１維持駆動部と；各々第１端が第１電極に接続される第１トランジスタと第２端が第１電極に接続される第２トランジスタを含み，アドレス期間に複数の第１電極に順次走査電圧を印加する複数の選択回路と；第２トランジスタを通じて第１電極に走査電圧を供給する第１電源と；第１トランジスタを通じて，アドレス期間において走査電圧が印加された第１電極以外の第１電極に第１電圧を印加する第２電源と；を含むことを特徴としている。また，この駆動装置は，複数の第１電極に順次走査電圧を印加した後，複数の第１電極に第１電圧を印加した状態で第１トランジスタ及び第２トランジスタを遮断させ，第１維持駆動部と第２トランジスタのボディーダイオードを通じて第１電極に維持放電のための電圧を印加し，第２トランジスタを導通させる。
【００２３】
第１維持駆動部は，第２トランジスタの第２端に第１端が電気的に接続された第１インダクタと；第１インダクタの第２端と第２電圧を供給する第３電源との間に電気的に接続される第３トランジスタと；第１電極と第３電圧を供給する第４電源との間に電気的に接続される第４トランジスタと；を含むことを特徴としている。さらに，この駆動装置は，第１トランジスタ及び第２トランジスタが遮断した状態で第３トランジスタが導通して第１電極が充電された後，第４トランジスタが導通して第１電極に第３電圧が印加されることを特徴としている。
【００２４】
ここで，第１電極の電圧を第３電圧まで充電する間，第２電極の電圧は，アドレス期間に第２電極に印加される第４電圧に維持されることが好ましい。
【００２５】
さらに，駆動装置は，第２電極に維持放電のための電圧を印加する第２維持駆動部を含むことが好ましい。そして，第２維持駆動部は，第２電極に第１端が電気的に接続された第２インダクタと；第２インダクタの第２端と第５電圧を供給する第５電源との間に電気的に接続された第５トランジスタと；第２電極と第６電圧（例えば，接地電電圧）を供給する第６電源の間に電気的に接続される第６トランジスタと；を含むことが好ましい。また，第１トランジスタ及び第２トランジスタが遮断した状態で，第５トランジスタが導通して第２電極が放電された後，第６トランジスタが導通して第２電極に第６電圧が印加された状態で第３トランジスタが導通して第１電極に第３電圧が印加されることが好ましい。
【発明の効果】
【００２６】
本発明によれば，アドレス期間から維持期間に移行するときのＥＭＩやノイズの発生を抑えることが可能となる。この結果，プラズマディスプレイパネル駆動装置の動作の安定性が向上する。
【発明を実施するための最良の形態】
【００２７】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２８】
〈第１の実施の形態〉
まず，本発明の実施の第１の実施の形態に係るプラズマディスプレイパネルについて図４を参照しながら詳細に説明する。
【００２９】
図４は，本実施の形態に係るプラズマディスプレイパネル装置の構成を示すブロック図である。
【００３０】
図４に示したように，本実施の形態に係るプラズマディスプレイパネル装置は，プラズマパネル１００，アドレス駆動部２００，Ｙ電極駆動部３２０，Ｘ電極駆動部３４０，及び制御部４００を含む。
【００３１】
プラズマパネル１００は，列方向に延びて行方向に順次配列されている複数のアドレス電極Ａ１〜Ａｍ，行方向に延びて列方向に順次配列されている第１電極Ｙ１〜Ｙｎ（以下，「Ｙ電極」という），及び第２電極Ｘ１〜Ｘｎ（以下，「Ｘ電極」という）を含む。Ｙ電極Ｙｋと第Ｘ電極Ｘｋは隣接して対になっている。
【００３２】
アドレス駆動部２００は，制御部４００からアドレス駆動制御信号ＳＡを受信して，表示しようとする放電セルを選択するための表示データ信号を出力して各アドレス電極に印加する。
【００３３】
Ｙ電極駆動部３２０及びＸ電極駆動部３４０は，制御部４００から各々Ｙ電極駆動信号ＳＹとＸ電極駆動信号ＳＸを受信して，電極駆動電圧を出力し，Ｘ電極とＹ電極に印加する。
【００３４】
制御部４００は，外部から映像信号を受信して，アドレス駆動制御信号ＳＡ，Ｙ電極駆動信号ＳＹ，及びＸ電極駆動信号ＳＸを生成し，各々アドレス駆動部２００，Ｙ電極駆動部３２０，及びＸ電極駆動部３４０に伝達する。
【００３５】
図５は，本実施の形態に係るＸ電極駆動部３４０とＹ電極駆動部３２０の詳細回路図である。
【００３６】
図５に示したように，本実施の形態に係るプラズマディスプレイパネル装置の駆動回路は，Ｘ電極駆動部３４０とＹ電極駆動部３２０を含む。また，Ｙ電極駆動部３２０は，リセット駆動部３２１，走査駆動部３２２，及び維持駆動部３２３（第１維持駆動部）を含む。
【００３７】
［リセット駆動部］
リセット駆動部３２１は，リセット期間中に上昇するリセット波形を生成する上昇ランプ部と下降するリセット波形を生成する下降ランプ部を含む。このうち，上昇ランプ部は，電圧（Ｖｓｅｔ−Ｖｓ）を供給する上昇ランプ電源（Ｖｓｅｔ−Ｖｓ），フローティング電源として動作するキャパシタＣｓｅｔ，ランプ供給スイッチＹｒｒ，及び逆流防止スイッチＹｐｐを含む。一方，下降ランプ部は，電源ＶｓｃＬ（第１電圧，第１電源）に接続されたランプ供給スイッチＹｆｒと逆流防止スイッチＹｐｎを含む。逆流防止スイッチＹｐｐ，Ｙｐｎは，維持電圧を生成する維持駆動部３２３からＹ電極に至るメインパスに形成される。
【００３８】
リセット期間へ移行する前に，キャパシタＣｓｅｔの下端がスイッチＹｇの導通（回路短絡）により接地（ＧＮＤ）されると共に，キャパシタＣｓｅｔの上端が（Ｖｓｅｔ−Ｖｓ）電圧を供給する電源（Ｖｓｅｔ−Ｖｓ）に接続される。これによって，キャパシタＣｓｅｔの上下端子間に（Ｖｓｅｔ−Ｖｓ）電圧が充電される。リセット期間初期にスイッチＹｓ（第４トランジスタ）が導通してパネルキャパシタＣｐの左端（図５中）つまりＹ電極に電圧Ｖｓ（第３電圧，第４電圧，第４電源）が印加され，その後，スイッチＹｒｒが導通するとキャパシタＣｓｅｔに充電された電圧によってパネルキャパシタＣｐの電圧が電圧Ｖｓｅｔまで漸進的に上昇する。
【００３９】
この後，スイッチＹｓが導通し，スイッチＹｒｒが遮断（回路開放）して，Ｙ電極に電圧Ｖｓが印加され，スイッチＹｆｒが導通すると，Ｙ電極に充電された電圧が電圧ＶｓｃＬまで徐々に低下する。
【００４０】
［走査駆動部］
走査駆動部３２２は，アドレス期間で走査パルスを生成し，電位点（ＶｓｃＨ−ＶｓｃＬ（第２電源）），電位点ＶｓｃＬ，キャパシタＣｓｃ，スイッチＹｓｃＬ，及びスキャンＩＣ（選択回路）を含む。スキャンＩＣは，スイッチＳＣＨ（第１トランジスタ），スイッチＳＣＬ（第２トランジスタ）を含み，これらスイッチＳＣＨのソースとスイッチＳＣＬのドレーンはパネルキャパシタＣｐのＹ電極に接続されている。
【００４１】
アドレス期間中は，スイッチＹｓｃＬは常に導通した状態を維持し，選択されるＹ電極にはスイッチＳＣＬが導通して電圧ＶｓｃＬが印加され，選択されないＹ電極には電源（ＶｓｃＨ−ＶｓｃＬ）によってキャパシタＣｓｃに充電された電圧がスイッチＳＣＨを通じて印加される。
【００４２】
［維持駆動部］
維持駆動部３２３は，維持期間で維持放電パルスを生成し，電源Ｖｓと接地ＧＮＤの間に直列接続された２個のスイッチＹｓ，Ｙｇ，電力回収用キャパシタＣｙｒ（第３電源），スイッチＹｒ（第３トランジスタ），スイッチＹｆ，インダクタＬｙ，及びダイオードＹＤｒ（第１ダイオード），ダイオードＹＤｆ（第２ダイオード），ダイオードＹＤＣＨ，ダイオードＹＤＣＬを含む。
【００４３】
維持期間以前にキャパシタＣｙｒには電圧（Ｖｓ／２）が充電されており，維持期間にスイッチＹｒが導通すると，インダクタＬｙとパネルキャパシタＣｐの間に共振が発生してパネルキャパシタＣｐが充電され，以降，スイッチＹｓを通じてパネルキャパシタＣｐに電圧Ｖｓが続いて供給される。また，スイッチＹｆが導通するとインダクタＬｙとパネルキャパシタＣｐの間に共振が発生してパネルキャパシタＣｐが放電され，以降，スイッチＹｇを通じてパネルキャパシタＣｐの電圧を０Ｖに維持する。
【００４４】
このとき，ダイオードＹＤｒ，ＹＤｆは，スイッチＹｒ，Ｙｆのボディーダイオードによって形成され得る電流を遮断するために，スイッチＹｒ，Ｙｆのボディーダイオードと反対方向に形成される。また，ダイオードＹＤＣＨ，ＹＤＣＬは，電源ＶｓとインダクタＬｙの第２端電位との間をクランピングする。
【００４５】
また，Ｘ駆動部３４０（第２維持駆動部）は，リセット期間中にＸ電極に印加される消去パルスを生成する電源ＶｂとスイッチＸｂ，電源Ｖｓと接地ＧＮＤの間に直列接続され維持期間中に維持放電パルスを生成する２個のスイッチＸｓ，スイッチＸｇ（第６トランジスタ），電力回収用キャパシタＣｘｒ（第５電源）とスイッチＸｒ，スイッチＸｆ（第５トランジスタ），インダクタＬｘ（第２インダクタ），及びダイオードＸＤｒ，ＸＤｆ，ＸＤＣＨ，ＸＤＣＬを含む。
【００４６】
Ｘ駆動部３４０のスイッチＸｓ，Ｘｇ，キャパシタＣｘｒとスイッチＸｒ，Ｘｆ，インダクタＬｘ，及びダイオードＸＤｒ，ＸＤｆ，ＸＤＣＨ，ＸＤＣＬは各々，Ｙ電極の維持駆動部３２３のスイッチＹｓ，Ｙｇ，キャパシタＣｙｒとスイッチＹｒ，Ｙｆ，インダクタＬｙ，及びダイオードＹＤｒ，ＹＤｆ，ＹＤＣＨ，ＹＤＣＬと略同一に動作する。
【００４７】
ここで，パネルキャパシタＣｐはＸ電極とＹ電極の間のキャパシタンス成分を等価的に示したものである。
【００４８】
また，図５に示した各部のスイッチは，ｎチャネル型ＭＯＳＦＥＴであって，各スイッチはボディーダイオードを含むことができる。
【００４９】
このように構成された第１の実施の形態に係る駆動回路によってパネルキャパシタＣｐに走査パルス及び維持放電パルスが印加される過程を図６及び図７を参照しながら説明する。
【００５０】
図６は，本実施の形態に係るプラズマディスプレイパネルの駆動波形図であり，図７は，この駆動波形が印加されたときの電流経路図である。
【００５１】
図６に示したように，本実施の形態では，アドレス期間から維持期間に移行する際，スキャンＩＣのスイッチＳＣＨ，ＳＣＬを全て遮断してＹ電極をフローティングさせた状態でＹ電極に維持放電電圧を印加する。
【００５２】
つまり，図７に示したように，アドレス期間中にスイッチＹｓｃＬはオン状態を維持し，スイッチＳＣＨ，ＳＣＬのオン／オフ動作を通じてＹ電極に走査パルスを印加する。そして，走査動作が完了したとき，スイッチＳＣＨはオン状態であり，スイッチＳＣＬはオフ状態である。この状態からスイッチＳＣＨをオフ状態としてＹ電極への出力をフローティング状態とする。これによって，図６に示したように，Ｙ電極の電圧が電圧ＶｓｃＨ（第２電圧）に維持される。
【００５３】
また，スイッチＹｓｃＬをオフ状態としてスイッチＹｐｎをオン状態とすると，スイッチＹｇのボディーダイオードからスイッチＹｐｐのボディーダイオードを経てスイッチＹｐｎに至る経路を通じて，スイッチＳＣＬのソース電圧がＧＮＤ電圧である０Ｖ（維持放電電圧の基底電圧）となる。
【００５４】
この後，スイッチＹｒをオン状態とすると，図７に示したように，キャパシタＣｙｒの上端からスイッチＹｒとインダクタＬｙを通りスイッチＹｐｐのボディーダイオード，スイッチＹｐｎ，更にスイッチＳＣＬのボディーダイオードを経てパネルキャパシタＣｐに至る経路が形成される。したがって，インダクタＬｙとパネルキャパシタＣｐの共振によって，図６に示したように，Ｙ電極（＝パネルキャパシタＣｐの左端）の電圧が電圧Ｖｓまで上昇する。また，スイッチＳＣＬのソース電圧もＹ電極電圧と同様に電圧Ｖｓまで上がる。
【００５５】
この状態でスイッチＳＣＬをオン状態とした後，維持放電動作を行う。つまり，Ｙ電極駆動部のスイッチＹｒをオフ状態としてスイッチＹｓをオン状態としてＹ電極の電圧を維持放電電圧Ｖｓに維持する。
【００５６】
また，Ｘ電極駆動部のスイッチＸｆをオン状態としてパネルキャパシタＣｐとインダクタＬｘの共振によってＸ電極の電圧を０Ｖまで徐々に低下させる。このとき，スイッチＸｆをオン状態とする代わりにスイッチＸｇをオン状態としてＸ電極に直ちに０Ｖの電圧を印加することもできる。
【００５７】
次に，スイッチＳＣＬをオン状態として，スイッチＹｓ，Ｙｐｎをオフ状態として，スイッチＹｐｐ，Ｙｆをオン状態とすると，パネルキャパシタＣｐの左端からスイッチＳＣＬ，スイッチＹｐｎのボディーダイオード，スイッチＹｐｐ，スイッチＹｆを経てキャパシタＣｙｒに至る経路が形成される。したがって，インダクタＬｙとパネルキャパシタＣｐの共振によって，図６に示したように，Ｙ電極（＝パネルキャパシタＣｐの左端）の電圧が電圧Ｖｓから０Ｖまで下降する。
【００５８】
この状態でスイッチＹｆをオフ状態としてスイッチＹｇをオン状態としてＹ電極の電圧を０Ｖに維持する。
【００５９】
このように本実施の形態によれば，Ｙ電極に維持電圧が印加されるとき，スイッチＳＣＬのドレーンとソースの電圧が実質的に同一となる。このために全てのスキャンＩＣのスイッチＳＣＬを同時にオンさせても電流が流れない。したがって，駆動回路においてノイズやＥＭＩの発生が防止され，結果として駆動回路の動作の安定性が向上する。
【００６０】
〈第２の実施の形態〉
ところで，第１の実施の形態に係る駆動方法においては，スイッチＳＣＬのドレーンとソース電圧を実質的に同一となるようにＹ電極駆動部を動作させるが，Ｘ電極駆動部の動作によってスイッチＳＣＬのドレーンとソース電圧を実質的に同一とすることも可能である。
【００６１】
以下，本発明の第２の実施の形態に係る駆動方法について図８と図９を参照しながら詳細に説明する。
【００６２】
図８は，本実施の形態に係るプラズマディスプレイパネルの駆動波形図であり，図９は，この駆動波形が印加されたときの電流経路図である。
【００６３】
図８に示したように，本実施の形態では，アドレス期間から維持期間に移行する際，Ｙ電極の電圧を電圧ＶｓｃＨでフローティングさせた状態からＸ電極駆動部の電力回収回路を通じてＹ電極の電圧を０Ｖまで低下させた後，Ｙ電極に維持放電電圧を印加する。
【００６４】
つまり，走査動作が完了したとき，スイッチＳＣＨを導通させ，スイッチＳＣＬを遮断させる。この状態からスイッチＳＣＨをオフ状態としてＹ電極への出力をフローティングとする。これによって，図８に示したように，Ｙ電極の電圧が電圧ＶｓｃＨに維持される。
【００６５】
また，スイッチＹｓｃＬをオフ状態としてスイッチＹｐｎをオン状態とすると，スイッチＹｇのボディーダイオードからスイッチＹｐｐのボディーダイオードを経てスイッチＹｐｎに至る経路を通じて，スイッチＳＣＬのソース電圧が接地（ＧＮＤ）電圧，つまり，維持放電電圧の基底電圧である０Ｖとなる。
【００６６】
この後，スイッチＹｐｎをオン状態としてスイッチＸｆをオン状態とすると，図９に示したように，スイッチＹｇのボディーダイオード−スイッチＹｐｐのボディーダイオード−スイッチＹｐｎ−スイッチＳＣＬのボディーダイオード−パネルキャパシタＣｐ−インダクタＬｘ−スイッチＸｆ−キャパシタＣｘｒの経路（図９の経路１（図中，丸付き数字で表す，以下同様））が形成される。したがって，インダクタＬｘとパネルキャパシタＣｐの共振によって，図８に示したように，Ｘ電極とＹ電極の電圧が０Ｖまで下降する。このとき，スイッチＳＣＬはオフ状態であるため，スイッチＳＣＬのソースは，図８に示したように，引き続いて０Ｖを維持する。
【００６７】
この状態でスイッチＳＣＬをオン状態とした後，維持放電動作を行う。つまり，Ｙ電極駆動部のスイッチＹｒをオン状態とすると，図９に示したように，スイッチＹｒ−インダクタＬｙ−スイッチＹｐｐのボディーダイオード−スイッチＹｐｎ−スイッチＳＣＬのボディーダイオード−パネルキャパシタＣｐの経路（図９の経路２（図中，丸付き数字で表す））が形成される。したがって，インダクタＬｙとパネルキャパシタＣｐの共振によって，Ｙ電極の電圧が維持放電電圧Ｖｓまで徐々に上昇する。また，スイッチＳＣＬのソース電圧もＹ電極電圧と同様に維持放電電圧Ｖｓまで徐々に上昇する。
【００６８】
このとき，図９に示した経路１によってＸ電極の電圧は０Ｖまで低下しているため，Ｙ電極の電圧が電圧Ｖｓまで上昇する際，Ｘ駆動部のスイッチＸｆをオフ状態とし，またスイッチＸｇをオン状態とすることによってＸ電極は０Ｖを維持する。
【００６９】
この状態でスイッチＳＣＬをオン状態とした後，Ｙ電極駆動部のスイッチＹｒをオフ状態としてスイッチＹｓをオン状態として，Ｙ電極の電圧を維持放電電圧Ｖｓに維持する。
【００７０】
次に，スイッチＳＣＬをオン状態として，スイッチＹｓ，Ｙｐｎをオフ状態として，スイッチＹｐｐ，Ｙｆをオン状態とすると，パネルキャパシタＣｐ−スイッチＳＣＬ−スイッチＹｐｎのボディーダイオード−スイッチＹｐｐ−スイッチＹｆ−キャパシタＣｙｒの経路が形成される。
【００７１】
したがって，インダクタＬｙ（第１インダクタ）とパネルキャパシタＣｐの共振によって，図８に示したようように，Ｙ電極の電圧が電圧Ｖｓから０Ｖまで下降する。
【００７２】
この状態でスイッチＹｆをオフ状態としてスイッチＹｇをオン状態としてＹ電極の電圧を０Ｖに維持する。
【００７３】
このように，本実施の形態でも，上述の第１の実施の形態と同様に，Ｙ電極に維持電圧が印加されるとき，スイッチＳＣＬのドレーンとソースの電圧が実質的に同一となる。このために全てのスキャンＩＣのスイッチＳＣＬを同時にオンさせても電流が流れない。したがって，駆動回路においてノイズやＥＭＩの発生が防止され，結果として駆動回路の動作の安定性が向上する。
【００７４】
以上，添付図面を参照しながら本発明の好適な実施形態について説明したが，本発明は係る例に限定されない。当業者であれば，特許請求の範囲に記載された範疇内において，各種の変更例または修正例に想到し得ることは明らかであり，それらについても当然に本発明の技術的範囲に属するものと了解される。
【００７５】
例えば，本発明の第１，第２の実施の形態においては，維持期間でパネルキャパシタに対して電圧＋Ｖｓと電圧ＧＮＤが交互に供給されているが，これとは異なり，電圧＋Ｖｓと電圧−Ｖｓを維持放電電圧として供給することもできる。
【産業上の利用可能性】
【００７６】
本発明は，プラズマディスプレイパネルに適用可能である。
【図面の簡単な説明】
【００７７】
【図１】一般的なプラズマディスプレイパネルの部分斜視図である。
【図２】一般的なプラズマディスプレイパネルの電極配列図である。
【図３】一般的なプラズマディスプレイパネルの駆動波形図である。
【図４】本発明の実施の形態に係るプラズマディスプレイパネル装置を示すブロック図である。
【図５】本発明の第１の実施の形態に係るプラズマディスプレイパネルのＸ，Ｙ電極駆動部の回路図である。
【図６】同実施の形態に係るプラズマディスプレイパネルの駆動波形図である。
【図７】図５のＸ，Ｙ電極駆動部に図６の駆動波形が印加されたときの電流経路を示す図である。
【図８】本発明の第２の実施の形態に係るプラズマディスプレイパネルの駆動波形図である。
【図９】図５のＸ，Ｙ電極駆動部に図８の駆動波形が印加されたときの電流経路を示す図である。
【符号の説明】
【００７８】
１００      プラズマパネル
２００      アドレス駆動部
３２０      Ｙ電極駆動部
３４０      Ｘ電極駆動部
４００      制御部
【図１】
2005157309.tif 000003
【図２】
2005157309.tif 000004
【図３】
2005157309.tif 000005
【図４】
2005157309.tif 000006
【図５】
2005157309.tif 000007
【図６】
2005157309.tif 000008
【図７】
2005157309.tif 000009
【図８】
2005157309.tif 000010
【図９】
2005157309.tif 000011